(57)【要約】【課題】ＥＢ振込データの名寄せのヒット率を向上させ、入金業務を効率的に行うこと。【解決手段】入金処理装置は、口座情報及び振込依頼人名を含むＥＢ振込データを取り込むＥＢデータ取込手段と、決済口座コード、決済口座名、口座情報、及び口座名義人のデータを対応づけて登録した決済口座マスタと、請求先コード、振込依頼人カナ、及び決済口座コードのデータを対応づけて登録した請求先振込情報マスタと、ＥＢデータ取込手段で取り込んだＥＢ振込データの口座情報をキーとして、決済口座マスタの決済口座コードを検索し、検索した決済口座コードとＥＢ振込データの振込依頼人名をキーとして、請求先振込情報マスタの請求先コードを検索して名寄せを行う名寄せ処理手段と、名寄せ処理手段で名寄せに失敗した場合に、ＥＢ振込データの振込依頼人名を正しい請求先コードと紐付けて請求先振込情報マスタに登録する登録処理手段と、を備えている。【選択図】図１
2019066947.tif 000002
【特許請求の範囲】
【請求項１】
制御部を備えた入金処理装置であって、
口座情報及び振込依頼人名を含むＥＢ振込データを取り込むＥＢデータ取込手段と、
決済口座コード、決済口座名、口座情報、及び口座名義人のデータを対応づけて登録した決済口座マスタと、
請求先コード、振込依頼人、及び決済口座コードのデータを対応づけて登録した請求先振込情報マスタと、
前記ＥＢデータ取込手段で取り込んだＥＢ振込データの口座情報をキーとして、前記決済口座マスタの決済口座コードを検索し、検索した決済口座コードと前記ＥＢ振込データの振込依頼人名をキーとして、前記請求先振込情報マスタの請求先コードを検索して名寄せを行う名寄せ処理手段と、
前記名寄せ処理手段で名寄せに失敗した場合に、前記ＥＢ振込データの振込依頼人名を正しい請求先コードと紐付けて前記請求先振込情報マスタに登録する登録処理手段と、
を備えたことを特徴とする入金処理装置。
【請求項２】
前記登録処理手段は、
前記ＥＢデータの振込依頼人名で請求先コードを諸口コードにした仮入金データを取り込み、
入力画面で前記諸口コードを正しい請求先コードに変更し、
前記ＥＢデータの振込依頼人名と前記正しい請求先コードを前記請求先振込情報マスタに登録することを特徴とする請求項１に記載の入金処理装置。
【請求項３】
制御部と記憶部を備えた情報処理装置で実行される入金処理方法であって、
前記記憶部は、
決済口座コード、決済口座名、口座情報、及び口座名義人のデータを対応づけて登録した決済口座マスタと、
請求先コード、振込依頼人、及び決済口座コードのデータを対応づけて登録する請求先振込情報マスタと、
を格納し、
前記制御部で実行される、
口座情報及び振込依頼人名を含むＥＢ振込データを取り込むＥＢデータ取込ステップと、
前記ＥＢデータ取込手段で取り込んだＥＢ振込データの口座情報をキーとして、前記決済口座マスタの決済口座コードを検索し、検索した決済口座コードと前記ＥＢ振込データの振込依頼人名をキーとして、前記請求先振込情報マスタの請求先コードを検索して名寄せを行う名寄せ処理ステップと、
前記名寄せ処理ステップで名寄せに失敗した場合に、前記ＥＢ振込データの振込依頼人名を正しい請求先コードと紐付けて前記請求先振込情報マスタに登録する登録処理ステップと、
を含むことを特徴とする入金処理方法。
【請求項４】
制御部と記憶部を備えた情報処理装置に実行させるための入金処理プログラムであって、
前記記憶部は、
決済口座コード、決済口座名、口座情報、及び口座名義人のデータを対応づけて登録した決済口座マスタと、
請求先コード、振込依頼人、及び決済口座コードのデータを対応づけて登録する請求先振込情報マスタと、
を格納し、
口座情報及び振込依頼人名を含むＥＢ振込データを取り込むＥＢデータ取込ステップと、
前記ＥＢデータ取込手段で取り込んだＥＢ振込データの口座情報をキーとして、前記決済口座マスタの決済口座コードを検索し、検索した決済口座コードと前記ＥＢ振込データの振込依頼人名をキーとして、前記請求先振込情報マスタの請求先コードを検索して名寄せを行う名寄せ処理ステップと、
前記名寄せ処理ステップで名寄せに失敗した場合に、前記ＥＢ振込データの振込依頼人名を正しい請求先コードと紐付けて前記請求先振込情報マスタに登録する登録処理ステップと、
をコンピュータに実行させるための入金処理プログラム。
【発明の詳細な説明】
【技術分野】
【０００１】
本発明は、入金処理装置、入金処理方法、及び入金処理プログラムに関する。
【背景技術】
【０００２】
近時、ネットワークを介した金融（例えば、銀行）取引サービスであるＥＢ（ｅｌｅｃｔｒｏｎｉｃ  Ｂａｎｋｉｎｇ）サービスが普及している。ＥＢサービスを利用する場合に、ＥＢサービスで入金があった場合は、その振込依頼人の名寄せを行って入金データを作成する。例えば、振込操作を行う場合に、同じ取引先でも振込操作を行う人によって、会社名（振込依頼人名）の入力が異なり、名寄せに失敗してしまう場合がある。
【０００３】
例えば、特許文献１の入金処理システムでは、多数の入金と請求との照合を迅速に行うために、支払期限、請求名義、請求額を少なくとも有する請求レコード３０を集録した請求ファイル１０と、支払われた入金の入金日、入金名義、入金額を少なくとも有する入金レコード２０を集録してなる入金ファイルとを有し、個々の入金の都度若しくは前記支払期限後の所定時間後の少なくともいずれかの入金決済時に、入金レコード２０の入金日、入金名義、入金額と、請求レコード３０の支払期限、請求名義、請求額とをそれぞれ照合し、入金レコード２０の入金名義と入金額が、請求レコード３０の請求名義と請求額とを満足するときに、当該満足した入金レコードを前記入金ファイルから削除すると共に、当該満足した請求レコードを前記請求ファイルから削除するものである（段落［０００１］、［０００４］、［０００５］、［００２２］、［００２９］参照）。
【先行技術文献】
【特許文献】
【０００４】
【特許文献１】特開２００２−２３０４５６号公報
【発明の概要】
【発明が解決しようとする課題】
【０００５】
しかしながら、上記特許文献１では、ＥＢ振込データの名寄せに失敗した場合については何等記載されていない。
【０００６】
本発明は、上記に鑑みてなされたものであって、ＥＢ振込データの名寄せのヒット率を向上させ、入金業務を効率的に行うことが可能な入金処理装置、入金処理方法、及び入金処理プログラムを提供することを目的とする。
【課題を解決するための手段】
【０００７】
上述した課題を解決し、目的を達成するために、本発明は、制御部を備えた入金処理装置であって、口座情報及び振込依頼人名を含むＥＢ振込データを取り込むＥＢデータ取込手段と、決済口座コード、決済口座名、口座情報、及び口座名義人のデータを対応づけて登録した決済口座マスタと、請求先コード、振込依頼人、及び決済口座コードのデータを対応づけて登録する請求先振込情報マスタと、前記ＥＢデータ取込手段で取り込んだＥＢ振込データの口座情報をキーとして、前記決済口座マスタの決済口座コードを検索し、検索した決済口座コードと前記ＥＢ振込データの振込依頼人名をキーとして、前記請求先振込情報マスタの請求先コードを検索して名寄せを行う名寄せ処理手段と、前記名寄せ処理手段で名寄せに失敗した場合に、前記ＥＢ振込データの振込依頼人名を正しい請求先コードと紐付けて前記請求先振込情報マスタに登録する登録処理手段と、を備えたことを特徴とする。
【０００８】
また、本実施の形態によれば、前記登録処理手段は、前記ＥＢデータの振込依頼人名で請求先コードを諸口コードにした仮入金データを取り込み、入力画面で前記諸口コードを正しい請求先コードに変更し、前記ＥＢデータの振込依頼人名と前記正しい請求先コードを前記請求先振込情報マスタに登録することが望ましい。
【０００９】
また、上述した課題を解決し、目的を達成するために、本発明は、制御部と記憶部を備えた情報処理装置で実行される入金処理方法であって、前記記憶部は、決済口座コード、決済口座名、口座情報、及び口座名義人のデータを対応づけて登録した決済口座マスタと、請求先コード、振込依頼人、及び決済口座コードのデータを対応づけて登録する請求先振込情報マスタと、を格納し、前記制御部で実行される、口座情報及び振込依頼人名を含むＥＢ振込データを取り込むＥＢデータ取込ステップと、前記ＥＢデータ取込手段で取り込んだＥＢ振込データの口座情報をキーとして、前記決済口座マスタの決済口座コードを検索し、検索した決済口座コードと前記ＥＢ振込データの振込依頼人名をキーとして、前記請求先振込情報マスタの請求先コードを検索して名寄せを行う名寄せ処理ステップと、前記名寄せ処理ステップで名寄せに失敗した場合に、前記ＥＢ振込データの振込依頼人名を正しい請求先コードと紐付けて前記請求先振込情報マスタに登録する登録処理ステップと、を含むことを特徴とする。
【００１０】
また、上述した課題を解決し、目的を達成するために、本発明は、制御部と記憶部を備えた情報処理装置に実行させるための入金処理プログラムであって、前記記憶部は、決済口座コード、決済口座名、口座情報、及び口座名義人のデータを対応づけて登録した決済口座マスタと、請求先コード、振込依頼人カナ、及び決済口座コードのデータを対応づけて登録する請求先振込情報マスタと、を格納し、口座情報及び振込依頼人名を含むＥＢ振込データを取り込むＥＢデータ取込ステップと、前記ＥＢデータ取込手段で取り込んだＥＢ振込データの口座情報をキーとして、前記決済口座マスタの決済口座コードを検索し、検索した決済口座コードと前記ＥＢ振込データの振込依頼人名をキーとして、前記請求先振込情報マスタの請求先コードを検索して名寄せを行う名寄せ処理ステップと、前記名寄せ処理ステップで名寄せに失敗した場合に、前記ＥＢ振込データの振込依頼人名を正しい請求先コードと紐付けて前記請求先振込情報マスタに登録する登録処理ステップと、をコンピュータに実行させる。
【発明の効果】
【００１１】
本発明によれば、ＥＢ振込データの名寄せのヒット率を向上させ、入金業務を効率的に行うことが可能となるという効果を奏する。
【図面の簡単な説明】
【００１２】
【図１】図１は、本実施の形態に係る入金処理装置の構成の一例を示すブロック図である。
【図２】図２は、本実施の形態における入金処理装置の全体の処理の一例を説明するための図である。
【図３】図３は、名寄せを説明するための図である。
【図４】図４は、名寄せ失敗時のイメージを説明するための図である。
【図５】図５は、入金確認入力画面で正しい請求先コードに変更する場合を説明するための図である。
【図６】図６は、名寄せ成功時のイメージを説明するための図である。
【発明を実施するための形態】
【００１３】
以下に、本発明に係る入金処理装置、入金処理方法、及び入金処理プログラムの実施の形態を、図面に基づいて詳細に説明する。なお、本実施形態によりこの発明が限定されるものではない。
【００１４】
[１．概要］
従来、ＥＢ入金データを取り込む際、同じ取引先でも振込操作する人によって会社名が異なる場合、その都度、名寄せ失敗になり、マスタ登録を行ってから再度ＥＢ入金データの取り込みを行うといった操作に手間がかかっていた。そこで、本実施の形態では、名寄せできなかった請求先に対して、正しい請求先コードとの紐付けを行った際に自動的に名寄せ変換用のマスタへ自動登録を行う機能を実装することにより、マスタ登録の手間を低減でき、名寄せ変換用のマスタに自動登録を繰り返すことで名寄せのヒット率を向上でき、入金業務を効率よく行えるようにしている。
【００１５】
［２．構成］
本実施の形態に係る入金処理装置１００の構成について、図１を参照して説明する。図１は、本実施の形態に係る入金処理装置１００の構成の一例を示すブロック図である。
【００１６】
入金処理装置１００は、市販のデスクトップ型パーソナルコンピュータである。なお、入金処理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００１７】
入金処理装置１００は、図１に示すように、制御部１０２と通信インターフェース部１０４と記憶部１０６と入出力インターフェース部１０８と、を備えている。入金処理装置１００が備えている各部は、任意の通信路を介して通信可能に接続されている。
【００１８】
通信インターフェース部１０４は、ルータ等の通信装置および専用線等の有線または無線の通信回線を介して、入金処理装置１００をネットワーク３００に通信可能に接続する。通信インターフェース部１０４は、他の装置と通信回線を介してデータを通信する機能を有する。ここで、ネットワーク３００は、入金処理装置１００と銀行Ｗｅｂシステム２００とを相互に通信可能に接続する機能を有し、例えばインターネットやＬＡＮ（Ｌｏｃａｌ  Ａｒｅａ  Ｎｅｔｗｏｒｋ）等である。  
【００１９】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。また、ユーザが出力装置（モニタ）１１４の画面に表示して、入力装置１１２で操作することを、「ＵＩを介したユーザ操作」と記載する場合がある。
【００２０】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２１】
記憶部１０６は、決済口座マスタ１０６ａ、請求先振込情報マスタ１０６ｂ、請求先マスタ１０６ｃ、ＥＢ振込データファイル１０６ｄ、及び仮入金データファイル１０６ｅ等を格納する。オペレータは、決済口座マスタ１０６ａ、請求先振込情報マスタ１０６ｂ、及び請求先マスタ１０６ｃの内容を出力装置１１４の画面に表示して確認することが可能となっており、また、入力装置１１２を介して、入力・変更・追加等の編集が可能に構成されている。
【００２２】
ＥＢ振込データファイル１０６ｄは、ＥＢ振込データを格納する。ＥＢ振込データは、銀行コード、支店コード、預金種別区分、口座番号、振込依頼人名、仕向銀行名、及び仕向店名を含んでいる（図３参照）。銀行コード、支店コード、預金種別区分、及び口座番号等の口座を指定するための情報を「口座情報」と称する。
【００２３】
決済口座マスタ１０６ａは、決済口座コード、決済口座名、銀行コード、銀行支店コード、預金種別区分、口座番号、及び口座名義人等のデータを対応づけたテーブル等である（図３参照）。
【００２４】
請求先振込情報マスタ１０６ｂは、名寄せ変換用のマスタであり、請求先コード、振込情報連番（１〜９９）、振込口座区分、振込依頼人カナ、振込依頼人コード、及び決済口座コード等のデータを対応づけたテーブル等である（図３参照）。
【００２５】
請求先マスタ１０６ｃは、請求先コードと請求先名のデータを対応づけたテーブル等である（図３参照）。
【００２６】
制御部１０２は、入金処理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、ＥＢデータ取込部１０２ａと、名寄せ処理部１０２ｂと、登録処理部１０２ｃと、を備えている。
【００２７】
ＥＢデータ取込部１０２ａは、通信インターフェース部１０４及びネットワーク３００を介して、銀行Ｗｅｂシステム２００から、口座情報及び振込依頼人名を含むＥＢ振込データをダウンロードして取り込み、ＥＢ振込データファイル１０６ｄに格納する。
【００２８】
名寄せ処理部１０２ｂは、ＥＢデータ取込部１０２ａで取り込んだＥＢ振込データの口座情報をキーとして、決済口座マスタ１０６ａの決済口座コードを検索し、検索した決済口座コードとＥＢ振込データの振込依頼人名をキーとして、請求先振込情報マスタ１０６ｂの請求先コードを検索して名寄せを行い、仮入金データを作成する。
【００２９】
登録処理部１０２ｃは、名寄せ処理部１０２ｂで請求先振込情報マスタ１０６ｂの請求先コードを検索できなかった場合、すなわち、名寄せに失敗した場合には、ＥＢ振込データの振込依頼人名を正しい請求先コードと紐付けて請求先振込情報マスタ１０６ｂに登録する。また、登録処理部１０２ｃは、ＥＢデータの振込依頼人名で請求先コードを諸口コードにした仮入金データを取り込み、入力画面で諸口コードを正しい請求先コードに変更し、ＥＢデータの振込依頼人名と正しい請求先コードを請求先振込情報マスタ１０６ｂに登録してもよい。
【００３０】
［３．全体の処理の概略］
図１〜図６を参照して、本実施の形態における入金処理装置１００の全体の処理を流れの概略を説明する。図２は、本実施の形態における入金処理装置１００の全体の処理の一例を説明するための図である。
【００３１】
図２において、ＥＢデータ取込部１０２ａは、銀行Ｗｅｂシステム２００から、口座情報及び振込依頼人名を含むＥＢ振込データをダウンロードして、取り込む（Ｓ１）。
【００３２】
名寄せ処理部１０２ｂは、ＥＢデータ取込部１０２ａで取り込んだＥＢ振込データに基づいて名寄せを行い、仮入金データを作成する（Ｓ２）。仮入金データが作成された後は、口座の入金確認後に消込等が行われる。
【００３３】
名寄せ失敗時は、登録処理部１０２ｃは、入力画面上で正しい請求先コードを指定して登録することで、請求先振込情報マスタ１０６ｂに自動登録する（Ｓ３）。
【００３４】
図３を参照して、名寄せを説明する。図３は、名寄せを説明するための図であり、ＥＢ振込データ、決済口座マスタ１０６ａ、請求先振込情報マスタ１０６ｂ、及び請求先マスタ１０６ｃのデータ構成例を示している。
【００３５】
図３において、ＥＢ振込データの口座情報（銀行コード、支店コード、預金種別区分、口座番号）をキーとして、決済口座マスタ１０６ａの決算口座コードを検索する。
【００３６】
つぎに、ＥＢ振込データの振込依頼人名と、検索した決済口座マスタ１０６ａの決済口座コードをキーとして、請求先振込情報マスタ１０６ｂの請求先コードを検索して取得する。請求先コードを検索できると、請求先振込情報マスタ１０６ｂと請求先マスタ１０６ｃは請求先コードで紐付けているため、請求先振込情報マスタ１０６ｂの振込依頼人カナが検索できたことで、名寄せ成功となる。
【００３７】
図４及び図５を参照して、名寄せ失敗時のイメージを説明する。図４は、名寄せ失敗時のイメージを説明するための図である。図５は、入金確認入力画面で正しい請求先コードに変更する場合を説明するための図である。
【００３８】
図４において、決済コードを「１０」とした場合を一例として説明する。図４（Ａ）の例では、ＥＢ振込データが、銀行コード「００１０」、支店コード「００１」、預金種別区分「１」、口座番号「１２３４５６７８」、振込依頼人名「トリヒキサキ  ハンバイ  カブシキカイシャ」の場合と、銀行コード「００１０」、支店コード「００１」、預金種別区分「１」、口座番号「１２３４５６７８」、振込依頼人名「トリヒキサキ  ハンバイ  カ）」の場合について説明する。
【００３９】
請求先振込情報マスタ１０６ｂにおいて、振込依頼人カナに、「トリヒキサキ  ハンバイ  カブシキカイシャ」、「トリヒキサキ  ハンバイ  カ）」がなかった場合、すなわち、名寄せに失敗した場合は、図４（Ｂ）に示すように、一旦、諸口コードで受け入れを行い、仮入金データとする。図４（Ｂ）の例では、入金番号「Ｎ０１００００００００１」、請求先コード「９９９９（諸口コード）」、請求先名「トリヒキサキ  ハンバイ  カブシキカイシャ」と、入金番号「Ｎ０１００００００００１」、請求先コード「９９９９」、請求先名「トリヒキサキ  ハンバイ  カ）」としている。
【００４０】
次に、入金確認入力画面（図５参照）で、請求先コード「９９９９」を正しい請求先コード「１１００１」に変更することで、請求先振込情報マスタ１０６ｂに、図４（Ｃ）に示すようなデータを新たに自動登録する。振込口座区分は「０」を通常、「１」をバーチャルとする。図４（Ｃ）に示す例では、請求先コード「１１００１」、振込情報連番（１〜９９）「１」、振込口座区分「０」、振込依頼人カナ「トリヒキサキ  ハンバイ  カブシキカイシャ」、決済口座コード「１０」と、請求先コード「１１００１」、振込情報連番（１〜９９）「２」、振込口座区分「０」、振込依頼人カナ「トリヒキサキ  ハンバイ  カ）」、決済口座コード「１０」を請求先振込情報マスタ１０６ｂに登録する。
【００４１】
図５を参照して、上述した、入金確認入力画面での請求先コードの変更を説明する。例えば、図５（Ａ）に示すように、入金確認入力画面で仮入金データを読み出して表示する。図５（Ａ）に示す例では、振込依頼人名「トリヒキサキ  ハンバイ  カブシキカイシャ」、仕向銀行名「オオサカ」、仕向店名「ホンテン」等のＥＢ振込データが表示されており、さらに、請求先コード「９９９９（諸口コード）」、請求先名「トリヒキサキ  ハンバイ  カブシキカイシャ」が表示される。
【００４２】
図５（Ｂ）に示すように、ユーザが諸口コード「９９９９」を、正しい請求先コード「１１００１」に変更すると、請求先マスタ１０６ｃが参照されて、請求先コード「１１００１」に対応する請求先名「取引先販売株式会社」が表示される。ユーザが不図示の登録ボタンを押すと、「トリヒキサキ  ハンバイ  カブシキカイシャ」と正しい請求先コード「１１００１」との紐付けを行い、請求先振込情報マスタ１０６ｂにおいて、決済口座コード「１０」に対応する振込依頼人カナに「トリヒキサキ  ハンバイ  カブシキカイシャ」を新たに登録して、振込依頼人カナと決済口座コードを更新する（図５（Ｃ）参照）。これにより、次回、ＥＢ振込データの振込依頼人が「トリヒキサキ  ハンバイ  カブシキカイシャ」である場合は、名寄せを行うことが可能となる。
【００４３】
図示は省略するが、振込依頼人「トリヒキサキ  ハンバイ  カ）」についても同様に、
ユーザが諸口コード「９９９９」を、入金確認入力画面で正しい請求先コード「１１００１」に変更することで、請求先振込情報マスタ１０６ｂにおいて、決済口座コード「１０」に対応する振込依頼人カナに「トリヒキサキ  ハンバイ  カ）」を新たに登録することができる。このようにして、図５（Ｄ）に示すように、請求先振込情報マスタ１０６ｂの振込依頼人カナのデータが新たに蓄積されていき、名寄せのヒット率を向上させることが可能となる。
【００４４】
図６を参照して、名寄せ成功時のイメージを説明する。図６は、名寄せ成功時のイメージを説明するための図である。名寄せに成功した場合は、仮入金データに正しい請求先コードをセットする。
【００４５】
例えば、図６（Ａ）に示すようなＥＢ振込データを取得する。図６（Ａ）に示す例では、ＥＢ振込データは、銀行コード「００１０」、支店コード「００１」、預金種別区分「１」、口座番号「１２３４５６７８」、振込依頼人名「トリヒキサキ  ハンバイ  カブシキカイシャ」となっている。
【００４６】
まず、図６（Ｂ）に示すように、ＥＢ振込データの銀行コード「００１０」、支店コード「００１」、預金種別区分「１」、口座番号「１２３４５６７８」をキーとして、決済口座マスタ１０６ａを検索して、決算口座コード「１０」を取得する。
【００４７】
図６（Ｃ）に示すように、ＥＢ振込データの振込依頼人名「トリヒキサキ  ハンバイ  カブシキカイシャ」と、取得した決済口座コード「１０」をキーとして、請求先振込情報マスタ１０６ｂを検索して、請求先コード「１１００１」を取得する。
【００４８】
図６（Ｄ）に示すように、請求先コード「１１００１」をキーとして、請求先マスタ１０６ｃを検索して、請求先名「取引先販売株式会社」を取得する。
【００４９】
図６（Ｅ）に示すように、入金番号「Ｎ０１００００００００１」と、取得した請求先コード「１１００１」及び請求先名「取引先販売株式会社」を含む仮入金データを作成する。なお、入金番号は自動採番としてもよい。仮入金データが作成された後は、口座の入金確認後に消込を行ってもよい。
【００５０】
以上説明したように、本実施の形態によれば、口座情報及び振込依頼人名を含むＥＢ振込データを取り込むＥＢデータ取込部１０２ａと、決済口座コード、決済口座名、口座情報、及び口座名義人のデータを対応づけて登録した決済口座マスタ１０６ａと、請求先コード、振込依頼人、及び決済口座コードのデータを対応づけて登録する請求先振込情報マスタ１０６ｂと、ＥＢデータ取込部１０２ａで取り込んだＥＢ振込データの口座情報をキーとして、決済口座マスタ１０６ａの決済口座コードを検索し、検索した決済口座コードとＥＢ振込データの振込依頼人名をキーとして、請求先振込情報マスタ１０６ｂの請求先コードを検索して名寄せを行う名寄せ処理部１０２ｂと、名寄せ処理部１０２ｂで名寄せに失敗した場合に、ＥＢ振込データの振込依頼人名を正しい請求先コードと紐付けて請求先振込情報マスタ１０６ｂに登録する登録処理部１０２ｃと、を備えているので、ＥＢ振込データの名寄せのヒット率を向上させ、入金業務を効率的に行うことが可能となる。
【００５１】
登録処理部１０２ｃは、ＥＢデータの振込依頼人名で請求先コードを諸口コードにした仮入金データを取り込み、入力画面で諸口コードを正しい請求先コードに変更し、ＥＢデータの振込依頼人名と正しい請求先コードを請求先振込情報マスタ１０６ｂに登録することとしたので、入力画面で諸口コードを正しい請求先コードに変更するだけで、ＥＢデータの振込依頼人名と正しい請求先コードを請求先振込情報マスタ１０６ｂに登録することとが可能となる。
【００５２】
［４．他の実施形態］
本発明は、上述した実施の形態以外にも、特許請求の範囲に記載した技術的思想の範囲内において種々の異なる実施形態にて実施されてよいものである。  
【００５３】
例えば、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００５４】
また、本明細書中や図面中で示した処理手順、制御手順、具体的名称、各処理の登録データや検索条件等のパラメータを含む情報、画面例、データベース構成については、特記する場合を除いて任意に変更することができる。
【００５５】
また、入金処理装置１００に関して、図示の各構成要素は機能概念的なものであり、必ずしも物理的に図示の如く構成されていることを要しない。  
【００５６】
例えば、入金処理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて入金処理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。  
【００５７】
また、このコンピュータプログラムは、入金処理装置１００に対して任意のネットワークを介して接続されたアプリケーションプログラムサーバに記憶されていてもよく、必要に応じてその全部または一部をダウンロードすることも可能である。  
【００５８】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００５９】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００６０】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００６１】
また、入金処理装置１００は、既知のパーソナルコンピュータまたはワークステーション等の情報処理装置として構成してもよく、また、任意の周辺装置が接続された当該情報処理装置として構成してもよい。また、入金処理装置１００は、当該装置に本実施形態で説明した処理を実現させるソフトウェア（プログラムまたはデータ等を含む）を実装することにより実現してもよい。  
【００６２】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。  
【符号の説明】
【００６３】
１００  入金処理装置
１０２  制御部
１０２ａ  ＥＢデータ取込部
１０２ｂ  名寄せ処理部
１０２ｃ  登録処理部
１０４  通信インターフェース部
１０６  記憶部
１０６ａ  決済口座マスタ
１０６ｂ  請求先振込情報マスタ
１０６ｃ  請求先マスタ
１０６ｄ  ＥＢ振込データファイル
１０６ｅ  仮入金データファイル
１０８  入出力インターフェース部
１１２  入力装置
１１４  出力装置
２００  銀行Ｗｅｂシステム
３００  ネットワーク
【図１】
2019066947.tif 000003
【図２】
2019066947.tif 000004
【図３】
2019066947.tif 000005
【図４】
2019066947.tif 000006
【図５】
2019066947.tif 000007
【図６】
2019066947.tif 000008